(57)【要約】      （修正有）【課題】トレーから尿を注ぎ出す際の利便性及びトレーの外観に優れたペット用トイレを提供する。【解決手段】ペット用トイレは、前方開口部２Ａを有する本体容器２と、該容器２を上層及び下層部分に区画し且つ通液可能な仕切り部３と、該下層部分に前方開口部２Ａを介して出し入れ可能に収容されるトレー４とを備える。トレー４は、その平面視が略長方形状であり、該トレー４の隅に傾斜面を有する注ぎ口４１を備える。トレー４は、底部上面を形成する底壁部と、内側面を形成し且つ該底壁部の周縁から立ち上がる側壁部とを有し、傾斜面は側壁部とともに内側面を形成している。断面視において、傾斜面は、鉛直方向に対する傾斜角度が側壁部の内側面よりも大きい。トレーの平面視において、傾斜面の幅が、該面の下端部から上端部に向けて漸次減少しており、その上端部が、長手方向及び幅方向のいずれにおける底壁部の端部よりも外方に位置している。【選択図】図１
2020080703.tif 000002
【特許請求の範囲】
【請求項１】
前方に開口する前方開口部を有する本体容器と、該本体容器を上層部分と下層部分とに区画し且つ通液可能な仕切り部と、該下層部分に前記前方開口部を介して出し入れ可能に収容されるトレーとを備えるペット用トイレであって、
前記トレーは、その平面視において長手方向及び幅方向を有する略長方形状であり、該トレーの隅に傾斜面を有する注ぎ口が設けられており、
前記トレーは、該トレーの底部上面を形成する底壁部と、該トレーの内側面を形成し且つ該底壁部の周縁から立ち上がる側壁部とを有しており、
前記傾斜面は、前記側壁部とともに前記内側面を形成しており、
前記トレーの長手方向に沿う断面視において、前記傾斜面は、鉛直方向に対する傾斜角度が前記側壁部の内側面よりも大きく、
前記平面視において、前記傾斜面の幅が、該傾斜面の下端部から上端部に向けて漸次減少しており、該傾斜面の該上端部は、前記長手方向及び前記幅方向のいずれにおいても前記底壁部の端部よりも外方に位置している、ペット用トイレ。
【請求項２】
前方に開口する前方開口部を有する本体容器と、該本体容器を上層部分と下層部分とに区画し且つ通液可能な仕切り部と、該下層部分に前記前方開口部を介して出し入れ可能に収容されるトレーとを備えるペット用トイレであって、
前記トレーは、その平面視において長手方向及び幅方向を有する略長方形状であり、該トレーの隅に傾斜面を有する注ぎ口が設けられており、
前記トレーは、該トレーの底部上面を形成する底壁部と、該トレーの内側面を形成し且つ該底壁部の周縁から立ち上がる側壁部とを有しており、
前記傾斜面は、前記側壁部とともに前記内側面を形成しており、
前記トレーの長手方向に沿う断面視において、前記傾斜面は、鉛直方向に対する傾斜角度が前記側壁部の内側面よりも大きく、
前記平面視において、前記傾斜面の幅が、該傾斜面の下端部から上端部に向けて漸次減少しており、
前記平面視において、前記傾斜面の下端部における両端の中点と該傾斜面の上端部の頂点とを結ぶ第１仮想直線と、前記長手方向に沿って延びる第２仮想直線とのなす角度が３０度以上６０度以下である、ペット用トイレ。
【請求項３】
前記平面視において、前記傾斜面の上端部が、前記トレーの外周縁に位置している、請求項１又は２に記載のペット用トイレ。
【請求項４】
前記傾斜面の下端部は、前記平面視において、該傾斜面に隣接する前記側壁部の下端部から連続している、請求項１ないし３のいずれか一項に記載のペット用トイレ。
【請求項５】
前記側壁部の一端と、前記傾斜面の上端部と、前記傾斜面の下端部とを接続する第２側壁部を有し、
第２側壁部は、略鉛直方向に設けられている、請求項１ないし４のいずれか一項に記載のペット用トイレ。
【請求項６】
前記トレーは、その外周縁から水平方向に延出するフランジが設けられており、
前記フランジは、前記上端部の位置に少なくとも設けられている、請求項１ないし５のいずれか一項に記載のペット用トイレ。
【請求項７】
前記注ぎ口が前記トレーの各隅に設けられており、
前記フランジが、前記トレーの外周縁に連続して設けられている、請求項６に記載のペット用トイレ。
【請求項８】
前記トレーの平面視において、前記傾斜面の下端部における両端の中点と該傾斜面の上端部の頂点とを結ぶ仮想直線と、前記トレーの外周縁における接線とのなす角度が、７０度以上１１０度以下である、請求項１ないし７のいずれか一項に記載のペット用トイレ。
【請求項９】
前記トレーが、その前後を入れ替えて収容可能になっている、請求項１ないし８のいずれか一項に記載のペット用トイレ。
【発明の詳細な説明】
【技術分野】
【０００１】
本発明は、ペット用トイレに関する。
【背景技術】
【０００２】
簡単に行えるペットの健康管理として、ペットの尿を採取して該ペットの健康状態を検査する尿検査の重要性が増している。尿検査は、ペットの疾患の早期発見に有効であり、尿のｐＨ値や尿比重等を測定するキットを用いることで簡単に尿検査を行うことができる。また尿検査は、物理的化学的検査に代えて、その色や濁り具合、尿量等を目視にて観察するだけでもペットの健康状態を把握する上で有効である。
【０００３】
ペットの尿検査を行うための尿検体を回収しやすくするために、特許文献１には、仕切り層により上層部分と下層部分とに区画されたトイレ本体と、該下層部分に収容され、該上層部分で排尿された尿を採取するトレーとを備えるペット用トイレが開示されている。このトレーには、該トレー内に蓄積した尿を注ぎ出す注ぎ口を有していることも、同文献に開示されている。
【先行技術文献】
【特許文献】
【０００４】
【特許文献１】特開２０１１−４６６４号公報
【発明の概要】
【発明が解決しようとする課題】
【０００５】
しかし、特許文献１に記載のペット用トイレは、トレーの引き出し方向後端側のみに注ぎ口が設けられているので、尿を注ぎ口から注ぎ出す際の利便性に関して改善の余地があった。また同文献に記載のペット用トイレは、注ぎ口がトレーの外縁を構成するように突出しているので、トレーの外観に関しても改善の余地があった。
【０００６】
したがって、本発明の課題は、従来技術の欠点を解決し得るペット用トイレを提供することにある。
【課題を解決するための手段】
【０００７】
本発明は、前方に開口する前方開口部を有する本体容器と、該本体容器を上層部分と下層部分とに区画し且つ通液可能な仕切り部と、該下層部分に前記前方開口部を介して出し入れ可能に収容されるトレーとを備えるペット用トイレであって、
前記トレーは、その平面視において長手方向及び幅方向を有する略長方形状であり、該トレーの隅に傾斜面を有する注ぎ口が設けられており、
前記トレーは、該トレーの底部上面を形成する底壁部と、該トレーの内側面を形成し且つ該底壁部の周縁から立ち上がる側壁部とを有しており、
前記傾斜面は、前記側壁部とともに前記内側面を形成しており、
前記トレーの長手方向に沿う断面視において、前記傾斜面は、鉛直方向に対する傾斜角度が前記側壁部の内側面よりも大きく、
前記平面視において、前記傾斜面の幅が、該傾斜面の下端部から上端部に向けて漸次減少しており、該傾斜面の該上端部は、前記長手方向及び前記幅方向のいずれにおいても前記底壁部の端部よりも外方に位置している、ペット用トイレを提供するものである。
【０００８】
また本発明は、前方に開口する前方開口部を有する本体容器と、該本体容器を上層部分と下層部分とに区画し且つ通液可能な仕切り部と、該下層部分に前記前方開口部を介して出し入れ可能に収容されるトレーとを備えるペット用トイレであって、
前記トレーは、その平面視において長手方向及び幅方向を有する略長方形状であり、該トレーの隅に傾斜面を有する注ぎ口が設けられており、
前記トレーは、該トレーの底部上面を形成する底壁部と、該トレーの内側面を形成し且つ該底壁部の周縁から立ち上がる側壁部とを有しており、
前記傾斜面は、前記側壁部とともに前記内側面を形成しており、
前記トレーの長手方向に沿う断面視において、前記傾斜面は、鉛直方向に対する傾斜角度が前記側壁部の内側面よりも大きく、
前記平面視において、前記傾斜面の幅が、該傾斜面の下端部から上端部に向けて漸次減少しており、
前記平面視において、前記傾斜面の下端部における両端の中点と該傾斜面の上端部の頂点とを結ぶ第１仮想直線と、前記長手方向に沿って延びる第２仮想直線とのなす角度が３０度以上６０度以下である、ペット用トイレを提供するものである。
【発明の効果】
【０００９】
本発明によれば、トレーから尿を注ぎ出す際の利便性、及びトレーの外観に優れたペット用トイレが提供できる。
【図面の簡単な説明】
【００１０】
【図１】図１は、本発明のペット用トイレの一実施形態を示す模式図である。
【図２】図２は、図１に示すペット用トイレに備えられたトレーの一実施形態を示す斜視図である。
【図３】図３は、図２に示すトレーの注ぎ口の拡大斜視図である。
【図４】図４（ａ）及び（ｂ）は、図２に示すトレーを平面視したときの注ぎ口の要部拡大図である。
【図５】図５は、図３に示すトレーのＩ−Ｉ面での断面図である。
【発明を実施するための形態】
【００１１】
以下本発明を、その好ましい一実施形態に基づき図面を参照しながら説明する。図１には、トレー４を備えるペット用トイレ１が示されている。
【００１２】
図１に示すペット用トイレ１は、前方開口部２Ａを有する本体容器２と、本体容器２を上層部分Ａ及び下層部分Ｂに区画し且つ尿などの液体を通液可能な仕切り部３と、本体容器２の下層部分に引き出し可能に収容されるトレー４とを備えている。
【００１３】
図１に示すように、本体容器２は、その上部が開口しており、本体容器２における上層部分Ａに尿などの液体を通液可能な仕切り部３を有している。本体容器２は、その内周面に、内方に向かって突出する突起又は段部からなる支持部（図示せず）を備えており、仕切り部３を本体容器２の上方から嵌め込むことによって、仕切り部３を本体容器２の上部に脱着自在に固定できるようになっている。
【００１４】
また同図に示すように、本体容器２は、仕切り部３によって区画された下層部分Ｂにトレー４を収容できるようになっている。トレー４は、本体容器２の前方に開口する前方開口部２Ａを介して出し入れ可能に収容できるようになっている。前方開口部２Ａの大きさ及び形状は、トレー４の幅方向Ｙの断面形状及び大きさと略同じに形成されている。
【００１５】
仕切り部３は、簀の子状の通液部３１を有している。通液部３１は、長手方向Ｘに延び且つ互いに間隔をおいて平行に配された複数本の第１線材と、幅方向Ｙに延び且つ互いに間隔をおいて平行に配された複数本の第２線材とが、互いに交差した状態で一体化されている。各線材の間は上層部分Ａ及び下層部分Ｂを連通する貫通孔となっており、該貫通孔から尿などの液体を上層部分Ａから下層部分Ｂへ通液可能になっている。
【００１６】
トレー４は、仕切り部３を通過した尿などの液状排泄物を収容可能な容器である。トレー４は、本体容器２の下層部分Ｂに収容可能となっており、本体容器２における前方開口部２Ａを介して出し入れ方向に沿って出し入れ可能になっている。図１及び図２に示すように、トレー４は、その平面視において長手方向Ｘ及び幅方向Ｙを有する略長方形状となっており、本実施形態では、トレーの長手方向Ｘと出し入れ方向とが一致している。トレー４は、少なくとも一つの隅に傾斜面４Ｓを有する注ぎ口４１が設けられており、トレー４を注ぎ口４１が位置する方向に傾けることによって、尿などの液状排泄物を注ぎ口から注ぎ出すことができる。収容された尿などの液状排泄物を注ぎ出す際の作業の利便性を高める観点から、図１及び図２に示すように、トレー４は、その各隅に注ぎ口４１が設けられていることが好ましい。
【００１７】
図２及び図３に示すように、トレー４は、平面視において長手方向Ｘ及び幅方向Ｙを有する略長方形状をなしている。本実施形態におけるトレー４は、その平面視における図心を中心として点対称の形状を有している。また、トレー４は、長手方向Ｘに沿う対称軸及び幅方向Ｙに沿う対称軸について線対称の形状を有しており、トレー４の前後を入れ替えて収容可能となっている。このような構成を有していることによって、例えば尿の廃棄を行うためにトレー４を全て引き出し、その後、本体容器２に挿入する際に、トレー４の前後を気にすることなく挿入することができ、取扱いの利便性を高めることができる。
【００１８】
トレー４は、その底部上面を形成する平坦な底壁部４２と、底壁部４２の周縁から立ち上がる側壁部４３とを有しており、側壁部４３はトレー４の内側面及び外側面を形成している。側壁部４３は、鉛直方向に立ち上がっていてもよく、鉛直方向から所定の傾きをもって立ち上がっていてもよい。トレー４の側壁部４３は、その鉛直方向Ｚの上端が仕切り部３に接触しないように形成されている。トレー４の出し入れ方向の前端側及び後端側、すなわち長手方向Ｘの前方側及び後方側には、把手部４５が連設されており、トレー４を本体容器２から引き出す際にトレー４の下方から指を引掛けることができるようになっている。注ぎ口４１における傾斜面４Ｓは、側壁部４３とともにトレー４の内側面を形成している。
【００１９】
図４（ａ）に示すように、トレー４は、その平面視において、傾斜面４ＳのＹ方向に沿う幅が、傾斜面４Ｓの底部側に位置する下端部４Ｂから傾斜面４Ｓの上部側に位置する上端部４Ｔに向けて漸次減少している。つまり、傾斜面４Ｓは、下端部４Ｂ側を底辺とし、上端部４Ｔ側を頂点とした三角形の形状となっており、下端部４Ｂと底壁部４２の端部とが接続されている。本実施形態では、傾斜面４Ｓの下端部４Ｂは、長手方向Ｘにおける底壁部の端部４２Ｘと接続しており、また、下端部４Ｂは傾斜面４Ｓに隣接する側壁部４３の下端からそれぞれ連続した一体成形の構造となっている。下端部４Ｂは、その一端及び長手方向Ｘにおける側壁部４３Ｘの下端部と、下端部４Ｂの他端及び幅方向Ｙにおける側壁部４３Ｙの下端部とがそれぞれ接続されている。傾斜面の上端部４Ｔは、長手方向Ｘにおける底壁部の端部４２Ｘ及び幅方向Ｙにおける底壁部の端部４２Ｙよりも外方に位置している。このような構成を有していることによって、トレーから尿を注ぎ出す際の利便性を確保しつつ、トレーの外観に優れたものとなる。
【００２０】
傾斜面４Ｓを所望の傾斜角度となるように形成しやすくするとともに、トレー内の尿を上端部に集めやすくして尿の注ぎ出しを首尾よく行う観点から、トレー４における注ぎ口４１は、側壁部４３の一端と、傾斜面４Ｓにおける上端部４Ｔと、下端部４Ｂとがそれぞれ接続する第２側壁部４７を有していることが好ましい。本実施形態では、第２側壁部４７は、底壁部４２、側壁部４３及び傾斜面４Ｓとともに一体成形の構造となっている。第２側壁部４７を有していることによって、側壁部４３の寸法や配置を変更することなく注ぎ口４１を形成することができるので、トレーの尿回収に寄与する底面積を十分に確保することができるという利点もある。
【００２１】
図３に示す第２側壁部４７は、幅方向側壁部４３Ｙの一端と、傾斜面４Ｓの一辺とを接続する幅方向第２側壁部４７ａと、長手方向側壁部４３Ｘの一端と、傾斜面４Ｓの他辺とを接続する長手方向第２側壁部４７ｂとから構成されており、これらの側壁部は傾斜面４Ｓとともにトレー４の内側面を形成するとともに、注ぎ口４１を構成している。各第２側壁部４７ａ，４７ｂは、内側面を形成する面が逆三角形状となっている。本実施形態における各第２側壁部４７ａ，４７ｂは、傾斜面４Ｓとは異なり、略鉛直方向Ｚに延びるように設けられている。各第２側壁部４７ａ，４７ｂは平面であってもよく、曲面であってもよい。
【００２２】
図５は、図３に示すトレー４のＩ−Ｉ面での断面図である。トレー４は、その長手方向Ｘに沿う断面視において、上端部４Ｔが下端部４Ｂよりも外方に位置している。トレー４における傾斜面４Ｓは、鉛直方向Ｚに沿う仮想直線Ｌと傾斜面４Ｓとのなす角度として、１０度以上であることが好ましく、２０度以上であることが更に好ましく、また６０度以下であることが好ましく、５０度以下であることが更に好ましい。このような構成を有していることによって、注ぎ口４１の内壁側への尿溜まりを防ぎつつ、トレー４を過度に傾けなくとも尿をトレーから首尾よく注ぎ出すことができる。
【００２３】
図４（ａ）及び（ｂ）に示す傾斜面４Ｓは、トレー４の平面視において、鈍角三角形状となっている。トレーからの尿の注ぎ出しを首尾よく行う観点から、傾斜面４Ｓは、トレー４の平面視において、傾斜面４Ｓを構成する各辺及び頂点が所定の関係性をもって位置していることが好ましい。詳細には、図４（ａ）に示すように、トレー４の平面視において、傾斜面４Ｓの下端部４Ｂにおける両端の中点４ｃと傾斜面４Ｓの上端部４Ｔの頂点４ｖとを結ぶ第１仮想直線Ｌ１と、長手方向Ｘに沿って延びる第２仮想直線Ｌ２とのなす角度θ３が、３０度以上であることが好ましく、４０度以上であることが更に好ましく、また６０度以下であることが好ましく、５０度以下であることが更に好ましい。
【００２４】
同様の観点から、図４（ｂ）に示すように、トレー４の平面視において、傾斜面４Ｓは、その上端部４Ｔの頂点４ｖから、下端部４Ｂの一端４ｗと他端４ｘとを結ぶ第３仮想直線Ｌ３に向けて垂線Ｌ４を引き、第３仮想直線Ｌ３と垂線Ｌ４との交点を交点４ｙ、下端部の他端４ｘから交点４ｙまでを距離Ｄ１、下端部４Ｂの一端４ｗから他端４ｘまでを距離Ｄ２としたときに、下端部の他端４ｘから交点４ｙまでの距離Ｄ１に対する下端部４Ｂの一端４ｗから交点４ｙまでの距離（Ｄ２＋Ｄ１）の比が、（Ｄ２＋Ｄ１）／Ｄ１として、３．５以上であることが好ましく、４．５以上であることが更に好ましく、また１００以下であることが好ましく、３０以下であることが更に好ましい。
【００２５】
また同様の観点から、図４（ｂ）に示すように、トレー４の平面視において、傾斜面４Ｓは、下端部４Ｂの他端４ｘと上端部４Ｔの頂点４ｖとの距離Ｄ３に対する、下端部４Ｂの一端４ｗと上端部４Ｔの頂点４ｖとの距離Ｄ４の比が、Ｄ４／Ｄ３として、１．６以上であることが好ましく、１．８以上であることが更に好ましく、また５以下であることが好ましく、４以下であることが更に好ましい。
【００２６】
図４に示すように、注ぎ口４１の形状として、トレー４の平面視において、傾斜面４Ｓの上端部４Ｔが、トレー４の外周縁４８又はその近傍に位置するよう形成されていることが好ましい。このような構成を有していることによって、トレー４の外周縁から注ぎ口４１が突出しないので、トレー４全体の外観を一層良好にできるとともに、注ぎ口の上端部から尿を首尾よく注ぎ出すことができる。
【００２７】
図４（ａ）に示すように、トレー４の平面視において、下端部４Ｂにおける両端の中点４ｃと上端部４Ｔの頂点４ｖとを結ぶ第１仮想直線Ｌ１と、トレーの外周縁４８における接線Ｌ５とのなす角度θ４が、所定の角度となるように傾斜面４Ｓが形成されていることが好ましい。具体的には、角度θ４は、７０度以上であることが好ましく、８０度以上であることが更に好ましく、１１０度以下であることが好ましく、１００度以下であることが更に好ましく、また直角であることが一層好ましい。これに加えて、前記角度θ３が上述の範囲を満たすように、傾斜面４Ｓにおける中点４ｃと頂点４ｖとが配されていることが更に好ましい。このような構成になっていることによって、尿を注ぎ口に集めやすくすることができるとともに、トレーの外周縁に沿う方向への液の伝わりを防いで尿を注ぎ出すことができる。
【００２８】
注ぎ口から尿を回収した際の尿の液切れを良くして、トレーの側壁部の外側面への尿の伝わりを効果的に防ぐ観点から、図４に示すように、トレー４は、その平面視において、トレー４の外周縁４８の水平方向（ＸＹ平面方向）の外方に延出するフランジ４９が設けられていることが好ましい。同図に示すフランジ４９は、トレー４の外周縁４８に沿って形成され且つ鉛直方向Ｚの上端に位置する外周縁４８から延出した板状の部材となっており、注ぎ口４１における傾斜面の上端部４Ｔの位置に少なくとも設けられている。特に、傾斜面４Ｓの上端部４Ｔが、トレー４の外周縁４８に位置している場合、フランジ４９を設けることによって、トレーの側壁部の外側面への尿の伝わりを一層効果的に防ぐことができる。
【００２９】
注ぎ口における尿の液切れを良好にしつつ、フランジを有するトレー４の外観を良好なものとする観点から、フランジ４９は、少なくとも、トレー４の長手方向Ｘに位置し、且つ鉛直方向Ｚの上端に位置する外周縁４８から長手方向Ｘの外方に延出して設けられていることが好ましく、トレー４の長手方向端部に位置する外周縁４８に連続して設けられていることも好ましい。このような構成となっていることによって、本体容器２に収容した際の本体容器２とトレー４との空隙を少なくして、排泄物の臭気の流出を抑制できるという利点もある。
【００３０】
フランジ４９は、トレー４の外周縁４８を基準として、該外周縁４８の水平方向（ＸＹ平面方向）に１ｍｍ以上延出していることが好ましく、１．５ｍｍ以上延出していることが更に好ましく、また５ｍｍ以下延出していることが好ましく、４ｍｍ以下延出していることが更に好ましい。このような寸法になっていることによって、注ぎ口における尿の液切れを良好にすることができる。
【００３１】
トレー４は、その底壁部４２から側壁部４３の最上端までの高さ（鉛直方向Ｚに沿う長さ）は、尿の回収を首尾よく行う観点から、１５ｍｍ以上が好ましく、２０ｍｍ以上が更に好ましく、１００ｍｍ以下が好ましく、５０ｍｍ以下が更に好ましい。
【００３２】
ペット用トイレ１の各構成部材の材質は、耐食性を有するものであれば特に制限はない。軽量で取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、ペット用トイレ１の各構成部材は、その表面に撥水加工や抗菌加工が施されたものを用いることが更に好ましい。
【００３３】
以上に説明したペット用トイレ１の使用方法の一例として、ペット用トイレ１を用いて、尿検査用の尿の回収方法を説明する。本発明のペット用トイレは、犬、猫、ウサギ、ハムスター等のペットの尿の回収に好適に用いることができる。
【００３４】
まず、トレー４を本体容器２の下層部分Ｂに収容し、仕切り部３を本体容器２の上層部分Ａに配置する。トレー４は、必要に応じて、その底壁部上に尿吸収シート等の尿吸収体を収容してもよいが、排泄された尿の回収を容易にする観点から、トレー４内には何も収容しないことが好ましい。尿吸収体としては、例えばパルプ繊維、粘土鉱物系材料、高分子吸収材料等の成分の１種以上を含む原料をシート状又は板状に成形したものを使用することができる。また、必要に応じて、仕切り部３には、その上に後述する排泄物処理材を適量配して、ペット用トイレ１の便床を形成してもよい。
【００３５】
次いで、ペットがペット用トイレ１内で排尿したあと、トレー４内に収容された尿を回収する。詳細には、ペットがペット用トイレ１における上層部分Ａに入って排尿すると、尿は、仕切り部３における通液部３１を通過して、下層部分Ｂ側へ流れ落ちる。下層部分Ｂに流れ落ちた尿は、下層部分Ｂに配されたトレー４内に収容される。
【００３６】
最後に、尿が収容されたトレー４を本体容器２から引き出し、尿を回収又は保存する別容器（図示せず）に移し替える。詳細には、別容器の開口部の上方に注ぎ口４１が位置し且つ傾斜面４Ｓにおける上端部４Ｔが下方に位置するようにトレー４を傾ける。このような手順によって、トレー４内の尿を注ぎ口４１側に首尾よく集めることができるとともに、トレー４内の尿をこぼすことなく、注ぎ口４１から尿を別容器に移すことができるので、尿の回収作業を首尾よく行うことができる。回収された尿は、例えばペットの健康状態等を把握するための物理的化学的な尿検査の試料に用いることができる。
【００３７】
排泄物処理材を用いる場合には、当該技術分野において猫砂やトイレ砂等として用いられている排泄物処理材を特に制限無く用いることができる。排泄物処理材は、好ましくは、植物由来の素材の粉砕物、ポリプロピレンやポリエチレン等の合成樹脂、鉱物、ガラス等の成分の１種以上を含んで成形された成形物が挙げられる。排泄物処理材の形状は、例えば、円筒形状、球状、立方体、直方体等とすることができる。尿検査の試料として尿を回収する場合には、尿検査の信頼性向上の観点から、尿の組成、特性に影響を与えないか、又は殆ど与えない材料からなる排泄物処理材を用いることが好ましい。また、水分の存在によって成形体が崩壊しないような排泄物処理材を用いることも好ましい。
【００３８】
以上、本発明をその好ましい実施形態に基づき説明したが、本発明は本実施形態に限定されない。例えば本実施形態のトレー４は、その平面視が略矩形状のものとして説明したが、トレー４の平面視が正方形状のものであってもよい。この場合、トレー４の引き出し方向は、平面視正方形における任意の一辺に沿う方向とすることができる。
【符号の説明】
【００３９】
１  ペット用トイレ
２  本体容器
２Ａ  前方開口部
３  仕切り部
４  トレー
４Ｓ  傾斜面
４Ｔ  上端部
４Ｂ  下端部
４１  注ぎ口
４２  底壁部
４３  側壁部
４７  第２側壁部
４８  外周縁
４９  フランジ
Ｘ  長手方向
Ｙ  幅方向
【図１】
2020080703.tif 000003
【図２】
2020080703.tif 000004
【図３】
2020080703.tif 000005
【図４】
2020080703.tif 000006
【図５】
2020080703.tif 000007